(57)【要約】【課題】  印刷物に生じる版ズレを考慮し、最終印刷物をより忠実に再現するカラープルーフを作成することを可能にする画像出力システム、制御装置、出力制御方法、その方法を実行させるためのプログラム、及び、そのプログラムを記憶した記憶媒体を提供する。【解決手段】  操作者は、シフト量指定部１６により色版毎にシフト量を指定する。網点データ加工部１２は、そのシフト量に従って網点基準データをシフトさせる処理を行う。網点化部１３は、それら網点基準データと、それら網点基準データを除いた各色版に対応する網点基準データとに基づいて画像データ解析加工部１０により作成された画像ラスターデータを網点化することで色版別の網点画像データを生成する。送信部１４は、その色版別の網点画像データをＤＣＰ作成装置２に送信する。ＤＣＰ作成装置２は、これを受けて、その色版別の網点画像データに基づく網点画像を感光材料上に描画する。【選択図】      図２
2005059457.tif 000002
【特許請求の範囲】
【請求項１】
外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工手段と、
前記複数の色版の何れかを指定するための色版指定手段と、
前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの内、前記指定された色版に対応する網点基準データの前記所定の数値データが割り振られた前記画素の配列を所定の方向へ所定の画素数分だけシフトさせる処理を行う網点データ加工手段と、
前記画像ラスターデータの前記所定の数値データの各々と、前記指定された色版のシフトされた網点基準データ及び前記指定された色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを生成する網点化手段と、を有する制御装置と、
前記生成された前記複数の色版の各々に対応する網点画像データを受けて、それらを重ね合わせた網点画像を出力する画像出力装置と、を備えたことを特徴とする画像出力システム。
【請求項２】
前記指定される色版は、前記複数の色版の各々に対応して生成された網点基準データの中に前記所定の数値データが割り振られた前記画素の配列が同一となるものが含まれていた場合の前記同一となる網点基準データに対応する色版の全部、若しくは、それらの内、１つを除いた他の色版の全部であることを特徴とする請求項１記載の画像出力システム。
【請求項３】
外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工手段と、
前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの中に、前記所定の数値データが割り振られた前記画素の配列が同一となるものが含まれているか否かを判定する判定手段と、
前記画素の配列が同一となるものが含まれていると判定された場合に、前記同一となる網点基準データに対応する色版の全部、若しくは、それらの内、１つを除いた他の色版の全部の各々に対応して生成された網点基準データの前記画素の配列を各々所定の方向へ所定の画素数分だけシフトさせる処理を行う網点データ加工手段と、
前記画像ラスターデータの前記所定の数値データの各々と、前記シフトされた網点基準データ及び前記シフトされた網点基準データに対応する色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを生成する網点化手段と、を有する制御装置と、
前記生成された前記複数の色版の各々に対応する網点画像データを受けて、それらを重ね合わせた網点画像を出力する画像出力装置と、を備えたことを特徴とする画像出力システム。
【請求項４】
前記網点データ加工手段は、前記同一となる網点基準データが３つ以上含まれていた場合に、前記所定の画素数を各々異なる画素数とすることを特徴とする請求項３記載の画像出力システム。
【請求項５】
前記１つの色版は、基本色版であって、前記他の色版の全部は、特色版であることを特徴とする請求項２乃至請求項４の何れか一項に記載の画像出力システム。
【請求項６】
前記網点データ加工手段が前記画素の配列を各々シフトさせる方向及び画素数を設定するためのシフト指定手段をさらに備えたことを特徴とする請求項１乃至請求項５の何れか一項に記載の画像出力システム。
【請求項７】
前記網点データ加工手段によりシフトされた網点基準データ及び前記シフトされた網点基準データを除く前記複数の色版の各々に対応して生成された網点基準データを重ね合わせた画像を表示する網点基準データ表示手段をさらに備えたことを特徴とする請求項１乃至請求項６の何れか一項に記載の画像出力システム。
【請求項８】
前記網点化手段により生成された前記複数の色版の各々に対応する網点画像データを重ね合わせた画像を表示する網点画像表示手段をさらに備えたことを特徴とする請求項１乃至請求項７の何れか一項に記載の画像出力システム。
【請求項９】
前記外部装置より入力された複数の色版から成る画像データは、画像ラスターデータを含むことを特徴とする請求項１乃至請求項８の何れか一項に記載の画像出力システム。
【請求項１０】
色版別の網点画像データを受けてそれらを重ね合わせた網点画像を出力する画像出力装置の出力制御を行う制御装置であって、
外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工手段と、
前記複数の色版の何れかを指定するための色版指定手段と、
前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの内、前記指定された色版に対応する網点基準データの前記所定の数値データが割り振られた前記画素の配列を所定の方向へ所定の画素数分だけシフトさせる処理を行う網点データ加工手段と、
前記画像ラスターデータの前記所定の数値データの各々と、前記指定された色版のシフトされた網点基準データ及び前記指定された色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを前記色版別の網点画像データとして生成する網点化手段と、を有することを特徴とする制御装置。
【請求項１１】
前記指定される色版は、前記複数の色版の各々に対応して生成された網点基準データの中に前記所定の数値データが割り振られた前記画素の配列が同一となるものが含まれていた場合の前記同一となる網点基準データに対応する色版の全部、若しくは、それらの内、１つを除いた他の色版の全部であることを特徴とする請求項１０記載の制御装置。
【請求項１２】
色版別の網点画像データを受けてそれらを重ね合わせた網点画像を出力する画像出力装置の出力制御を行う制御装置であって、
外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工手段と、
前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの中に、前記所定の数値データが割り振られた前記画素の配列が同一となるものが含まれているか否かを判定する判定手段と、
前記画素の配列が同一となるものが含まれていると判定された場合に、前記同一となる網点基準データに対応する色版の全部、若しくは、それらの内、１つを除いた他の色版の全部の各々に対応して生成された網点基準データの前記画素の配列を各々所定の方向へ所定の画素数分だけシフトさせる処理を行う網点データ加工手段と、
前記画像ラスターデータの前記所定の数値データの各々と、前記シフトされた網点基準データ及び前記シフトされた網点基準データに対応する色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを前記色版別の網点画像データとして生成する網点化手段と、を有することを特徴とする制御装置。
【請求項１３】
前記網点データ加工手段は、前記同一となる網点基準データが３つ以上含まれていた場合に、前記所定の画素数を各々異なる画素数とすることを特徴とする請求項１２記載の制御装置。
【請求項１４】
前記１つの色版は、基本色版であって、前記他の色版の全部は、特色版であることを特徴とする請求項１１乃至請求項１３の何れか一項に記載の制御装置。
【請求項１５】
前記網点データ加工手段が前記画素の配列を各々シフトさせる方向及び画素数を設定するためのシフト指定手段をさらに備えたことを特徴とする請求項１０乃至請求項１４の何れか一項に記載の制御装置。
【請求項１６】
前記網点データ加工手段によりシフトされた網点基準データ及び前記シフトされた網点基準データを除く前記複数の色版の各々に対応して生成された網点基準データを重ね合わせた画像を表示する網点基準データ表示手段をさらに備えたことを特徴とする請求項１０乃至請求項１５の何れか一項に記載の制御装置。
【請求項１７】
前記網点化手段により生成された前記複数の色版の各々に対応する網点画像データを重ね合わせた画像を表示する網点画像表示手段をさらに備えたことを特徴とする請求項１０乃至請求項１６の何れか一項に記載の制御装置。
【請求項１８】
前記外部装置より入力された複数の色版から成る画像データは、画像ラスターデータを含むことを特徴とする請求項１０乃至請求項１７の何れか一項に記載の制御装置。
【請求項１９】
色版別の網点画像データを受けてそれらを重ね合わせた網点画像を出力する画像出力装置の出力制御方法であって、
外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工ステップと、
前記複数の色版の何れかが指定される色版指定ステップと、
前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの内、前記指定された色版に対応する網点基準データの前記所定の数値データが割り振られた前記画素の配列を所定の方向へ所定の画素数分だけシフトさせる処理を行う網点データ加工ステップと、
前記画像ラスターデータの前記所定の数値データの各々と、前記指定された色版のシフトされた網点基準データ及び前記指定された色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを前記色版別の網点画像データとして生成する網点化ステップと、を含むことを特徴とする出力制御方法。
【請求項２０】
前記指定される色版は、前記複数の色版の各々に対応して生成された網点基準データの中に前記所定の数値データが割り振られた前記画素の配列が同一となるものが含まれていた場合の前記同一となる網点基準データに対応する色版の全部、若しくは、それらの内、１つを除いた他の色版の全部であることを特徴とする請求項１９記載の出力制御方法。
【請求項２１】
色版別の網点画像データを受けてそれらを重ね合わせた網点画像を出力する画像出力装置の出力制御方法であって、
外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工ステップと、
前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの中に、前記所定の数値データが割り振られた前記画素の配列が同一となるものが含まれているか否かを判定する判定ステップと、
前記画素の配列が同一となるものが含まれていると判定された場合に、前記同一となる網点基準データに対応する色版の全部、若しくは、それらの内、１つを除いた他の色版の全部の各々に対応して生成された網点基準データの前記画素の配列を各々所定の方向へ所定の画素数分だけシフトさせる処理を行う網点データ加工ステップと、
前記画像ラスターデータの前記所定の数値データの各々と、前記シフトされた網点基準データ及び前記シフトされた網点基準データに対応する色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを前記色版別の網点画像データとして生成する網点化ステップと、を含むことを特徴とする出力制御方法。
【請求項２２】
前記網点データ加工ステップでは、前記同一となる網点基準データが３つ以上含まれていた場合に、前記所定の画素数を各々異なる画素数とすることを特徴とする請求項２０記載の出力制御方法。
【請求項２３】
前記１つの色版は、基本色版であって、前記他の色版の全部は、特色版であることを特徴とする請求項２０乃至請求項２２の何れか一項に記載の出力制御方法。
【請求項２４】
前記網点データ加工ステップにおいて前記画素の配列が各々シフトされる方向及び画素数が設定されるシフト指定ステップをさらに含むことを特徴とする請求項１９乃至請求項２３の何れか一項に記載の出力制御方法。
【請求項２５】
前記網点データ加工ステップにおいてシフトされた網点基準データ及び前記シフトされた網点基準データを除く前記複数の色版の各々に対応して生成された網点基準データを重ね合わせた画像を表示する網点基準データ表示ステップをさらに含むことを特徴とする請求項１９乃至請求項２４の何れか一項に記載の出力制御方法。
【請求項２６】
前記網点化ステップにおいて生成された前記複数の色版の各々に対応する網点画像データを重ね合わせた画像を表示する網点画像表示ステップをさらに含むことを特徴とする請求項１９乃至請求項２５の何れか一項に記載の出力制御方法。
【請求項２７】
前記外部装置より入力された複数の色版から成る画像データは、画像ラスターデータを含むことを特徴とする請求項１９乃至請求項２６の何れか一項に記載の出力制御方法。
【請求項２８】
請求項１９乃至請求項２７の何れか一項に記載の出力制御方法をコンピュータにおいて実行させることを特徴とするプログラム。
【請求項２９】
請求項２８記載のプログラムをコンピュータにより読み出し可能に記憶したことを特徴とする記憶媒体。
【発明の詳細な説明】
【技術分野】
【０００１】
本発明は、画像出力システム、制御装置、出力制御方法、その方法を実行させるためのプログラム、及び、そのプログラムを記憶した記憶媒体に関し、特に、波長の異なる複数の光源によって感光材料を感光させることで、印刷物の仕上がりを事前に確認するためのカラープルーフを作成するものに関する。
【背景技術】
【０００２】
従来より、カラーの印刷物を印刷する際には、通常、４色（Ｃ（シアン）／Ｍ（マゼンタ）／Ｙ（イエロー）／Ｋ（ブラック））の色版を作成して、これらの色版を印刷機に組み込むことで印刷を行っている。
【０００３】
ところで、このような印刷機は、非常に精密な構造を有しているが、高速輪転印刷を行うと、各色版に相互の位置ズレが生じて、印刷物においては、各色の重なりがズレてしまう、所謂、“版ズレ”の問題が生じる場合がある。
【０００４】
そこで、このような問題を解決するために、例えば、特開平５−２００９７０号公報に開示される印刷機用版胴の製造方法においては、版胴の表面粗さを所定の範囲に調整して、微小凹凸を形成した後、メッキ層を形成することで、メッキ層の表面を微細なデインプル状として、版との摩擦係数を著しく向上させることで版ズレを防止することが提案されている（例えば、特許文献１参照）。
【０００５】
しかしながら、このような版ズレ防止策によっても、版ズレを完全に生じなくすることは困難であった。
【０００６】
そこで、近年では、版ズレが生じることを前提として、様々な版ズレ対応策が提案されることとなった。
【０００７】
例えば、特開平９−１８１９２４号公報に開示される画像のカブセ処理装置及び方法においては、画像データの処理によって、隣接する画像領域同士の境界部にカブセ領域を形成することで、版ズレによる白抜けを防止することが提案されている（例えば、特許文献２参照）。
【０００８】
また、特開２００１−３２８３２６号公報に開示される版ずれ測定方法及び装置並びに記録媒体においては、画像出力媒体上に出力されたＫ、Ｃ、Ｍ、Ｙ、４版の同心円画像を光学的に読み取った画像データから各版の円周上の３点の座標を検出し、それら座標を用いて各版の円の中心座標を算出し、それらの中心座標を用いて版ずれを算出することが提案されている（例えば、特許文献３参照）。
【０００９】
また一方で、最近では、新たな版ズレ防止策として、例えば、特開２００２−２３４１３７号公報に開示される可撓性刷版装着方法および装着装置においては、可撓性刷版の版先を版先クランプ機構に固定する際に、版先クランプ機構の位置決めピンに刷版の版先の切欠きを当接させて位置決め固定し、刷版を固定後、これを版胴に券回する際に、押圧手段により刷版を版胴外周面に押圧すると共に、刷版の版尻を版胴に固定し、且つ、刷版と版胴の間には、表面に粒状物を固着させた脱落防止層を有する版下シートを介在させることで版ズレを防止することが提案されている（例えば、特許文献４参照）。
【００１０】
しかしながら、これら版ズレ対応策及び版ズレ防止策は、何れも業界への普及には至っていない状況にある。
【００１１】
ところで、印刷機により印刷される印刷物の仕上がりを事前にシミュレートする目的で、カラープルーフを作成するＤＣＰ（Ｄｉｇｉｔａｌ  Ｃｏｌｏｒ  Ｐｒｏｏｆ）作成装置が提案されている。このようなＤＣＰ作成装置の中には、例えば、特開平１１−２０５６２２号公報に開示されるカラープルーフ作成装置のように、各色分解原稿の網点画像データに基づいて、感光材料に、例えばＲ（レッド）／Ｇ（グリーン）／Ｂ（ブルー）等の波長の異なる複数の光の組み合わせから成る光点を露光して、Ｙ／Ｍ／Ｃ／Ｋの各色を発色させるものがある。当該カラープルーフ作成装置においては、複数の光源から同時に光を発して露光を行う、所謂、マルチ露光を実施するため、版ズレは生じ得ない構成となっている（例えば、特許文献５参照）。
【００１２】
【特許文献１】特開平５−２００９７０号公報（段落〔０００８〕‐〔００１０〕、第１図乃至第３図）
【特許文献２】特開平９−１８１９２４号公報（段落〔００２７〕‐〔０１１８〕、第１図乃至第２１図）
【特許文献３】特開２００１−３２８３２６号公報（段落〔０００９〕‐〔００２０〕、第１図乃至第５図）
【特許文献４】特開２００２−２３４１３７号公報（段落〔００２５〕‐〔０１０３〕、第１図乃至第２０図）
【特許文献５】特開平１１−２０５６２２号公報（段落〔００２０〕‐〔００８８〕、第１図乃至第１９図）
【発明の開示】
【発明が解決しようとする課題】
【００１３】
従って、当該カラープルーフ作成装置によれば、極めて良好なカラープルーフを作成することが可能であるが、上述したように、印刷物においては、少なからず版ズレが生じるために、結果として、カラープルーフと印刷物の間には、色調の相違が生じてしまい、印刷物の仕上がりを適正に判断することが困難になっている。
【００１４】
特に、近年においては、特色を出力することが可能なＤＣＰ作成装置が登場するに至り、このような混乱を回避する手法や装置の登場が必要不可欠となった。
【００１５】
即ち、一般に、カラープルーフや印刷物の階調再現においては、画像を構成する各色版の網点の線数を調整する面積階調方式が用いられているが、この面積階調方式においては、通常の出力に用いられるＣ／Ｍ／Ｙ／Ｋ、各色の色版における網点の並び方向（以下、網点角度と称する）は、一般的に０／１５／４５／７５度の中から排他的に選択されることが望ましいとされている。その一例を図１４に示す。図１４においては、Ｃ版が１５度、Ｍ版が４５度、Ｙ版が０度、Ｋ版が７５度となっている。しかしながら、これらの色版に加えて特色版が追加される場合には、その網点角度は、これらの色版の何れかと同一の角度にせざるを得なくなる。例えばＭと特色（例えば、ゴールド）の網点角度が同じ４５度とされることになる。このような場合、ＤＣＰ作成装置により作成されたカラープルーフは、版ズレが全く生じることがないので、Ｍ版とゴールド版の重なり領域においては、ミクロ的に見ると、図１５（Ａ）に示すように、互いの網点が全く重なり合うことになる。一方、印刷機により印刷された印刷物は、ミクロ的に見ると、図１５（Ｂ）に示すように、下方に位置する色版（例えば、Ｍ版）の網点が可視状態となる。従って、これらカラープルーフと印刷物とをマクロ的に比較した場合には、互いに全く異なった色調に見えることになる。
【００１６】
本発明は、上記事情に鑑みてなされたものであり、その目的とするところは、印刷物において生じる版ズレを考慮することで、最終印刷物をより忠実に再現するカラープルーフを作成することを可能にする画像出力システム、制御装置、出力制御方法、その方法を実行させるためのプログラム、及び、そのプログラムを記憶した記憶媒体を提供することにある。
【課題を解決するための手段】
【００１７】
上記課題を解決するために、請求項１記載の発明は、外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工手段と、前記複数の色版の何れかを指定するための色版指定手段と、前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの内、前記指定された色版に対応する網点基準データの前記所定の数値データが割り振られた前記画素の配列を所定の方向へ所定の画素数分だけシフトさせる処理を行う網点データ加工手段と、前記画像ラスターデータの前記所定の数値データの各々と、前記指定された色版のシフトされた網点基準データ及び前記指定された色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを生成する網点化手段と、を有する制御装置と、前記生成された前記複数の色版の各々に対応する網点画像データを受けて、それらを重ね合わせた網点画像を出力する画像出力装置と、を備えたことを特徴とする。
【００１８】
上記課題を解決するために、請求項３記載の発明は、外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工手段と、前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの中に、前記所定の数値データが割り振られた前記画素の配列が同一となるものが含まれているか否かを判定する判定手段と、前記画素の配列が同一となるものが含まれていると判定された場合に、前記同一となる網点基準データに対応する色版の全部、若しくは、それらの内、１つを除いた他の色版の全部の各々に対応して生成された網点基準データの前記画素の配列を各々所定の方向へ所定の画素数分だけシフトさせる処理を行う網点データ加工手段と、前記画像ラスターデータの前記所定の数値データの各々と、前記シフトされた網点基準データ及び前記シフトされた網点基準データに対応する色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを生成する網点化手段と、を有する制御装置と、前記生成された前記複数の色版の各々に対応する網点画像データを受けて、それらを重ね合わせた網点画像を出力する画像出力装置と、を備えたことを特徴とする。
【００１９】
上記課題を解決するために、請求項１０記載の発明は、色版別の網点画像データを受けてそれらを重ね合わせた網点画像を出力する画像出力装置の出力制御を行う制御装置であって、外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工手段と、前記複数の色版の何れかを指定するための色版指定手段と、前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの内、前記指定された色版に対応する網点基準データの前記所定の数値データが割り振られた前記画素の配列を所定の方向へ所定の画素数分だけシフトさせる処理を行う網点データ加工手段と、前記画像ラスターデータの前記所定の数値データの各々と、前記指定された色版のシフトされた網点基準データ及び前記指定された色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを前記色版別の網点画像データとして生成する網点化手段と、を有することを特徴とする。
【００２０】
上記課題を解決するために、請求項１２記載の発明は、色版別の網点画像データを受けてそれらを重ね合わせた網点画像を出力する画像出力装置の出力制御を行う制御装置であって、外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工手段と、前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの中に、前記所定の数値データが割り振られた前記画素の配列が同一となるものが含まれているか否かを判定する判定手段と、前記画素の配列が同一となるものが含まれていると判定された場合に、前記同一となる網点基準データに対応する色版の全部、若しくは、それらの内、１つを除いた他の色版の全部の各々に対応して生成された網点基準データの前記画素の配列を各々所定の方向へ所定の画素数分だけシフトさせる処理を行う網点データ加工手段と、前記画像ラスターデータの前記所定の数値データの各々と、前記シフトされた網点基準データ及び前記シフトされた網点基準データに対応する色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを前記色版別の網点画像データとして生成する網点化手段と、を有することを特徴とする。
【００２１】
上記課題を解決するために、請求項１９記載の発明は、色版別の網点画像データを受けてそれらを重ね合わせた網点画像を出力する画像出力装置の出力制御方法であって、外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工ステップと、前記複数の色版の何れかが指定される色版指定ステップと、前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの内、前記指定された色版に対応する網点基準データの前記所定の数値データが割り振られた前記画素の配列を所定の方向へ所定の画素数分だけシフトさせる処理を行う網点データ加工ステップと、前記画像ラスターデータの前記所定の数値データの各々と、前記指定された色版のシフトされた網点基準データ及び前記指定された色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを前記色版別の網点画像データとして生成する網点化ステップと、を含むことを特徴とする。
【００２２】
上記課題を解決するために、請求項２１記載の発明は、色版別の網点画像データを受けてそれらを重ね合わせた網点画像を出力する画像出力装置の出力制御方法であって、外部装置より入力された複数の色版から成る画像データを受けて、前記画像データに基づく画像を描画するために配列された画素の各々に対して前記画像の濃度に応じた所定の数値データを割り振ることで、前記所定の数値データが割り振られた画像ラスターデータを前記複数の色版の各々に対応して生成する画像データ解析加工ステップと、前記複数の色版の各々に対応して生成され、前記画像を網点群にて構成するために前記網点の少なくとも１つを描画するべく配列された前記画素の各々に対して前記網点の形状、角度及び線数に応じて所定の数値データが割り振られた網点基準データの中に、前記所定の数値データが割り振られた前記画素の配列が同一となるものが含まれているか否かを判定する判定ステップと、前記画素の配列が同一となるものが含まれていると判定された場合に、前記同一となる網点基準データに対応する色版の全部、若しくは、それらの内、１つを除いた他の色版の全部の各々に対応して生成された網点基準データの前記画素の配列を各々所定の方向へ所定の画素数分だけシフトさせる処理を行う網点データ加工ステップと、前記画像ラスターデータの前記所定の数値データの各々と、前記シフトされた網点基準データ及び前記シフトされた網点基準データに対応する色版を除く前記複数の色版の各々に対応して生成された網点基準データの前記所定の数値データの各々とを比較することで、前記複数の色版の各々に対応する画像ラスターデータを網点化した前記複数の色版の各々に対応する網点画像データを前記色版別の網点画像データとして生成する網点化ステップと、を含むことを特徴とする。
【００２３】
上記課題を解決するために、請求項２８記載の発明は、請求項１９乃至請求項２７の何れか一項に記載の出力制御方法をコンピュータにおいて実行させることを特徴とする。
【００２４】
上記課題を解決するために、請求項２９記載の発明は、請求項２８記載のプログラムをコンピュータにより読み出し可能に記憶したことを特徴とする。
【発明の効果】
【００２５】
本発明に係る画像出力システム、制御装置、出力制御方法、その方法を実行させるためのプログラム、及び、そのプログラムを記憶した記憶媒体によれば、印刷物において生じる版ズレを考慮することで、最終印刷物をより忠実に再現するカラープルーフを作成することができる。
【発明を実施するための最良の形態】
【００２６】
以下、本発明に係る画像出力システム、制御装置、出力制御方法、その方法を実行させるためのプログラム、及び、そのプログラムを記憶した記憶媒体の一実施形態について、図面を参照しながら詳細に説明する。
【００２７】
［画像出力システム］
まず、本実施形態における画像出力システムのシステム構成及び概略動作について、図１を参照しつつ説明する。
【００２８】
＜システム構成＞
図１に示すように、当該画像出力システムは、上流端末、即ち、画像データ編集端末３やＲＩＰ（Ｒａｓｔｅｒ・Ｉｍａｇｅ・Ｐｒｏｃｅｓｓｏｒ）４から送信された画像データを解析加工した後、これを画像出力装置であるＤＣＰ作成装置２に送信する制御装置１と、この制御装置１から送信された画像データを出力するＤＣＰ作成装置２とから構成されている。因みに、ＲＩＰ４は、制御装置１に組み込まれた構成としても良い。尚、制御装置１及び画像データ編集端末３は、各々、コンピュータターミナル（端末装置）として動作するものであって、制御装置１は、コンピュータ本体、キーボード、表示部等を備え、所定の動作プログラムが組み込まれている。また、ＤＣＰ作成装置２は、複数が設けられても良い。また、画像データ編集端末３は、コンピュータ本体、キーボード、表示部、イメージスキャナ等の必要な画像入力機器を備えている。さらに、これらはネットワークＮを介して制御装置１に接続されている。
【００２９】
＜概略動作＞
このような構成において、制御装置１は、画像データ編集端末３やＲＩＰ４から送信された画像データを予め設定された出力条件に従って解析加工した後、これをＤＣＰ作成装置２に送信する。因みに、此処に言う“出力条件”とは、画像データ編集端末３やＲＩＰ４から送信された画像データの種別に応じて、これをラスター化する処理を行うか否かを規定した条件のことであり、また、此処に言う“解析加工”とは、画像データ編集端末３やＲＩＰ４から送信された画像データの種別を判断して（解析に対応する）、その画像データがラスター化する処理を必要とする場合には、これを実施する（加工に対応する）ということである。尚、画像データの種別には、主としてＰＳ、ＰＤＦ、ＥＰＳ等のページ記述言語と、ＴＩＦＦ、ＴＩＦＦ／ＩＴ、ＪＰＥＧ等の汎用フォーマットとがあり、上述した出力条件は、制御装置１において画像データ自体を加工して反映させる方法の他にも、出力条件を別途通知しておき、ＤＣＰ作成装置２においてその設定を反映させる方法がある。一方、画像データの送信先であるＤＣＰ作成装置２は、制御装置１から送信された画像データに基づく画像を出力する。これにより、カラープルーフが作成される。
【００３０】
［制御装置］
次に、当該画像出力システムを構成する制御装置１の詳細構成及び詳細動作について、図２、図４乃至図１０を参照しつつ、図３に示すフローチャートの流れに沿って説明する。
【００３１】
＜詳細構成＞
図２に示すように、制御装置１は、画像データ編集端末３やＲＩＰ４から送信された画像データを解析加工することで、色版別の画像ラスターデータを作成する画像データ解析加工部１０と、画像データ編集端末３やＲＩＰ４から送信された画像データを構成する各色版、言い換えれば、この画像データ解析加工部１０により生成された色版別の画像ラスターデータの各色版に対応して予め設定された網点基準データ（以下、各色版に対応して予め設定された網点基準データと称する）の内、どの色版に対応するものをシフトさせるかを指定するための色版指定部１５と、この各色版に対応して予め設定された網点基準データのシフト量、より詳細には、当該網点基準データを、どの方向に、どれだけの量だけシフトさせるかを指定するためのシフト量指定部１６と、この各色版に対応して予め設定された網点基準データに同一のものが含まれているか否かを判定する網点データ解析部１１と、この網点データ解析部１１によってこの各色版に対応して予め設定された網点基準データに同一のものが含まれていたと判定された場合に、該当する網点基準データが互いに異なるものとなるように、該当する網点基準データの全て、若しくは、該当する網点基準データの内、１つを除いた他の網点基準データの全てをシフト量指定部１６によって指定された方向に指定された量だけシフトさせる処理を行う網点データ加工部１２と、この網点データ加工部１２によってシフトされた網点基準データと、それらの網点基準データを除く各色版に対応して予め設定された網点基準データとを重ね合わせた画像、若しくは、それらの網点基準データに基づき後述する網点化部１３によって網点化された各色版の網点画像を重ね合わせた画像を表示する表示部１７と、網点データ加工部１２によってシフトされた網点基準データと、それらの網点基準データを除く各色版に対応して予め設定された網点基準データとに基づいて、画像データ解析加工部１０により生成された色版別の画像ラスターデータを網点化する処理を行い、色版別の網点画像データを生成する網点化部１３と、この網点化部１３により生成された色版別の網点画像データをＤＣＰ作成装置２に送信する送信部１４と、から構成されている。
【００３２】
＜詳細動作＞
〔画像データ解析加工ステップ〕
図３に示すように、このような構成において、画像データ編集端末３やＲＩＰ４から画像データが送信されると、画像データ解析加工部１０は、これを受信して（ステップ１）、その画像データを解析して、必要に応じて、これをラスター化する加工を行うことで、色版別の画像ラスターデータを作成する（ステップ２）。因みに、送信された画像データが画像ラスターデータである場合には、これをラスター化する加工を行う必要はなくなる。尚、画像データ解析加工部１０は、メモリ等の記憶手段とＣＰＵ等の演算手段からなり、記憶手段に記憶される処理プログラムに従って、演算手段が演算処理を行うことで、画像データの解析及び加工を行い、色版別の画像ラスターデータを作成する。
【００３３】
〔シフト指定ステップ〕
操作者は、ここで、シフト量指定部１６により、色版毎にそのシフト量、より詳細には、色版毎にその網点基準データのシフト量の指定を行う（ステップ３）。尚、シフト量指定部１６は、キーボードやマウス等の一般的な入力手段により構成される。また、後述する指定画面は、表示部１７において表示される。また、表示部１７は、モニタ等の一般的な表示手段により構成される。
【００３４】
図４に、このシフト量指定部１６によりシフト量の指定を行う際の指定画面の流れを説明する画面表示構成図を示す。図４に示すように、表示部１７には、通常、プリンタコントローラメイン画面１Ａが表示されている。このプリンタコントローラメイン画面１Ａでは、例えば当該画像出力システムにおける各ジョブの処理状況が一覧表示され、ＲＩＰ処理待ちジョブ表示部１Ａａには、画像データ解析加工部１０によるＲＩＰ処理待ちのジョブ名称が表示され、ＲＩＰ処理済みジョブ表示部１Ａｂには、画像データ解析加工部１０によるＲＩＰ処理が終了したＲＩＰ処理済みのジョブ名称が表示され、出力処理済みジョブ表示部１Ａｃには、送信部１４による出力処理が終了した出力処理済みのジョブ名称が表示される。
【００３５】
操作者は、ＲＩＰ処理済みジョブ表示部１Ａｂにおいて、キーボード等の操作により、例えばｔｅｓｔ．ｐｓ等のジョブ名称を選択することで、同図に示すシフト量指定画面１Ｂを表示させる。
【００３６】
このシフト量指定画面１Ｂでは、Ｃ／Ｍ／Ｙ／Ｋ／特色１・・・等の各色版のシフト量を指定するための指定項目１Ｂａと、この指定項目１Ｂａにおいて指定したシフト量に基づき、網点データ加工部１２によってシフト処理が施された網点基準データと、それらの網点基準データを除く各色版に対応して予め設定された網点基準データとを重ね合わせた画像、若しくは、それらの網点基準データに基づいて網点化された各色版の網点画像を重ね合わせた画像を表示部１７に表示させるためのモニタ表示項目１Ｂｂと、この指定項目１Ｂａによって指定されたシフト量に従ってシフト処理が施された網点基準データと、それらの網点基準データを除く各色版に対応して予め設定された網点基準データに基づいて、網点化部１３によって生成された色版別の網点画像データをＤＣＰ作成装置２に送信するためのＯＫ項目１Ｂｃと、この指定項目１Ｂａにおいて指定したシフト量を取り消すためのキャンセル項目１Ｂｄと、が表示される。
【００３７】
操作者は、さらに、指定項目１Ｂａにおいて、キーボード等の操作により、各色版のシフト量を指定する。尚、此処に言う“シフト量”とは、ＤＣＰ作成装置２において出力される各色版の網点画像の基準となる位置からの上下方向及び左右方向に関するズレ量のことを指す。これにより、例えば斜め方向等に関するシフト量を指定することもできる。また、色版によってシフト処理を行わないものがある場合には、そのシフト量を“０”と指定することもできる。
【００３８】
ところで、印刷機において発生する版ズレは、印刷機における各色版の銜え状態や、各色版を構成する素材の違いや、操作者の癖等により規則的な様相を呈する傾向にある。従って、操作者は、その傾向を踏まえて各色版の基準となる位置からの上下方向及び左右方向に関するシフト量を指定することが好ましい。これにより、印刷物において生じる版ズレを忠実に再現するカラープルーフを作成することができる。
【００３９】
（シフト量指定画面の構成）
尚、図４に示すシフト量指定画面１Ｂでは、指定項目１Ｂａにおけるシフト量の単位がｍｍとなっているが、シフト量の単位は、ＤＣＰ作成装置２における画素数、即ち、ＤＣＰ作成装置２において描画される画像の画素数に変換することが可能なものであれば、これに限定されるものではない（これは、シフトを行う最小単位がＤＣＰ作成装置２において描画される画像の画素数になることに起因している）。例えば、ＤＣＰ作成装置２において、２４００ｄｐｉ（ｄｏｔ  ｐｅｒ  ｉｎｃｈ）、１７５ｌｐｉ（ｌｉｎｅｓ  ｐｅｒ  ｉｎｃｈ）にて画像出力を行う場合には、網点１個の幅は、概ね１／１７５ｉｎｃｈ＝０．００５７ｉｎｃｈ＝０．１４５ｍｍとなり、１つの網点の幅に相当する画素数は、概ね２４００×（１／１７５）＝１３．７画素となる。また、網点により構成される画像データは、二値データであり、１画素当たりの深度は、１ｂｉｔ（ＯＮｏｒＯＦＦ）であるから、網点１個の幅相当の画素数は、デジタル的には、概ね１６ｂｉｔ＝２ｂｙｔｅと表現することができる。このように、シフト量の指定は、ｍｍ、ｉｎｃｈ、画素、ｂｙｔｅ等の各種単位にて行うことが可能であり、そのスケール観は、人それぞれによって異なるため、指定項目１Ｂａにおけるシフト量の単位は、一義的なものとせずに、所望する何れか１つの単位を選択可能な構成としたり、何れか１つの単位で調整すると他のものが連動するように構成することが好ましい。
【００４０】
〔判定ステップ〕
図３に戻って、指定項目１Ｂａにおいて各色版のシフト量が指定されると、網点データ解析部１１は、画像データ解析加工部１０によって生成された色版別の画像ラスターデータの各色版に対応して予め設定された網点基準データに同一のものが含まれているか否かを判定する（ステップ４）。尚、網点データ解析部１１は、メモリ等の記憶手段とＣＰＵ等の演算手段からなり、記憶手段に記憶される処理プログラムに従って、演算手段が演算処理を行うことで、上述した網点基準データに同一のものが含まれているか否かを判定する。因みに、網点基準データは、各色版に対応して予め設定されることとする他にも、画像データ編集端末３やＲＩＰ４から送信された画像データに、当該画像データを構成する各色版に対応して網点基準データを生成するための情報（線数；複数の網点が並ぶことにより構成される線の数、網点角度、網点形状）が付加されて、当該網点データ解析部１１が、その情報に基づいて各色版に対応する網点基準データを生成することとしても良い。
【００４１】
〔網点データ加工ステップ〕
ここで、各色版に対応して予め設定された網点基準データに同一のものが含まれていると判定された場合には（ステップ４、Ｙｅｓ）、網点データ加工部１２は、該当する網点基準データが互いに異なる内容となるように、該当する網点基準データの全て、若しくは、該当する網点基準データの内、１つを除いた他の網点基準データの全てを、シフト量指定部１６により指定された方向に指定された量、より詳細には、指定された量に相当する画素数分だけシフトさせる処理を行う（ステップ５）。この際、上述した網点基準データに同一のものが３つ以上含まれていた場合には、それらが互いに異なるものとなるように、該当する網点基準データの全て、若しくは、該当する網点基準データの内、１つを除いた他の網点基準データの全てを、シフト量指定部１６により指定された方向に、各々、異なる量だけシフトさせる処理を行う。また、上述した網点基準データが、Ｙ／Ｍ／Ｃ／Ｋの基本色に対応するものと、特色に対応するものとを含んでいた場合には、網点データ加工部１２は、特色に対応する網点基準データを優先してシフトさせる処理を行う。これは、Ｙ／Ｍ／Ｃ／Ｋの基本色に対応する色版をシフトさせた場合と比べて、特色に対応する色版をシフトさせた場合の方が、ＤＣＰ作成装置２において出力される画像がより鮮やかになるからである。尚、網点データ加工部１２は、メモリ等の記憶手段とＣＰＵ等の演算手段からなり、記憶手段に記憶される処理プログラムに従って、演算手段が演算処理を行うことで、上述したシフト処理を行う。
【００４２】
（網点基準データのシフト処理の詳細）
ここで、網点データ加工部１２による網点基準データのシフト処理の詳細について、図５（Ａ）、図５（Ｂ）を参照しながら説明する。図５（Ａ）、図５（Ｂ）に示すように、“網点基準データ”は、画像データ編集端末３やＲＩＰ４から送信される画像データを構成する各色版の各々に対応して予め設定されるものであって、画像データに基づく画像を網点群にて構成するために、その網点の少なくとも１つを描画するべく配列されたＤＣＰ作成装置２の画素の各々に対して、その網点の形状、角度及び線数に応じて所定の数値データが割り振られたものとなっている。因みに、同図においては、網点の１つを描画するべく配列されたＤＣＰ作成装置２の画素を具現化した５×５の格子に所定の数値が規則的に配置されている。これに対して、画像データ解析加工部１０において作成される画像ラスターデータは、画像データ編集端末３やＲＩＰ４から送信された画像データに基づく画像を描画するために配列されたＤＣＰ作成装置２の画素の各々に対して、その画像の濃度に応じた所定の数値データが割り振られたものとなっている。因みに、同図においては、上述した網点基準データに対応して、５×５の格子に各画素における画像の濃度に対応した数値（以下、“網パーセント“と称することがある）が配置されている。即ち、上述した網点データ解析部１１においては、画像データ解析加工部１０によって生成された色版別の画像ラスターデータの各色版に対応して予め設定された網点基準データの内、画素の各々に対して割り振られた所定の数値データの配列が同一となるものが含まれているか否かを判定すると共に、同一となるものが含まれていると判定された場合には、網点データ加工部１２においては、該当する網点基準データの画素の各々に対して割り振られた所定の数値データの配列が互いに異なるものとなるように、該当する網点基準データの全て、若しくは、該当する網点基準データの内、１つを除いた他の網点基準データの全てに対して、その画素の各々に割り振られた所定の数値データの配列をシフト量指定部１６により指定された方向に指定された量、より詳細には、指定された量に相当する画素数分だけシフトさせる処理を行うことで、“シフトされた網点基準データ”を生成する。例えば、図５（Ａ）に示す網点基準データを、図における左方向に１画素分だけシフトさせることで、図５（Ｂ）に示す“シフトされた網点基準データ”を生成する。さらに、後述する網点化部１３においては、これらシフト処理が行われた網点基準データ及びこれらの網点基準データを除く各色版に対応して予め設定された網点基準データの数値データと、画像データ解析加工部１０により生成された色版別の画像ラスターデータの数値データとを比較して、網点基準データの数値のほうが大きくなる画素を“１”、小さくなる画素を“０”とすることで、画像データ解析加工部１０において作成された色版別の画像ラスターデータを網点基準データに基づいて網点化した色版別の２値の網点画像データを生成する。このような処理を各色版に対して行うことで、色版別の網点画像データが生成される。
【００４３】
〔色版指定ステップ〕
ところで、上述した網点基準データに関する判定は、網点データ解析部１１によって行われることとする他にも、操作者が、表示部１７により表示される所定の設定画面において、各色版に対応する網点基準データの画素の各々に配置された数値データや、当該網点基準データを生成するための情報（線数、網点角度、網点形状）を確認することで行い、さらに、操作者が、その結果を踏まえて、色版指定部１５により、該当する網点基準データが互いに異なるものとなるように、該当する網点基準データの全て、若しくは、該当する網点基準データの内、１つを除いた他の網点基準データの全てに対応する色版を表示部１７により表示される所定の指定画面において指定することとしても良い。尚、色版指定部１５は、キーボードやマウス等の一般的な入力手段により構成される。
【００４４】
〔網点化ステップ〕
網点データ加工部１２により網点基準データのシフト処理が行われると、網点化部１３は、網点データ加工部１２によりシフト処理が行われた網点基準データと、それらの網点基準データを除く各色版に対応して予め設定された網点基準データとに基づいて、画像データ解析加工部１０により生成された色版別の画像ラスターデータを網点化する処理を行う。これにより、色版別の網点画像データが生成される（ステップ６）。より詳細には、図５（Ａ）、図５（Ｂ）に示したように、網点基準データは、例えば５×５の格子に所定の数値を規則的に配置したものであって、また、これに対応して画像データ解析加工部１０において作成される画像ラスターデータは、５×５の格子に各画素における画像に対応した所定の数値が配置されたものであって、当該網点化部１３においては、これら網点基準データの数値データの各々と、画像ラスターデータの数値データの各々とを比較して、網点基準データの数値のほうが大きくなる画素を“１”、小さくなる画素を“０”とすることで２値の網点画像データを生成する。これを各色版に対して行うことで、色版別の２値の網点画像データを生成する。尚、上述した画素の配列は、後述するＤＣＰ作成装置２における露光光源（レーザ光源３２０、３２１、３２２）を構成する各光源（レーザダイオード）の配列に対応したものとなっており、ＤＣＰ作成装置２においては、上述した格子において“１”の数値が割り振られた画素に対応する光源（レーザダイオード）のみを発光させることで、感光材料上に所定の網点画像を描画することとなる。尚、網点化部１３は、メモリ等の記憶手段とＣＰＵ等の演算手段からなり、記憶手段に記憶される処理プログラムに従って、演算手段が演算処理を行うことで、上述した網点化処理を行う。
【００４５】
（画像データが線画像である場合のシフト処理）
ところで、当該画像出力システムを構成する制御装置１においては、画像データ編集端末３やＲＩＰ４から送信された画像データが、表やグラフ等の直線を含む、所謂、線画像である場合には、網点データ加工部１２が、“シフトされた網点基準データ”を生成した場合であっても、網点化部１３によって生成される色版別の２値の網点画像データにおいては、シフト処理は反映されることにならない。以下、その原理について説明する。
【００４６】
図６（Ａ）、図６（Ｂ）に示すように、画像データ編集端末３やＲＩＰ４から送信された画像データが線画像である場合には、画像データ解析加工部１０において作成される色版別の画像ラスターデータは、例えば５×５の格子の各々における数値が直線的に配置されたものとなる。因みに、線画像の線に対応する数値、即ち、中間調でない画像を描画する場合の網パーセントは、通常、“１００”とされる。ここで、図５（Ａ）、図５（Ｂ）に示した場合と同様に、網点データ加工部１２が、図６（Ａ）に示す網点基準データを、図における左方向に１画素分だけシフトさせることで、図６（Ｂ）に示す“シフトされた網点基準データ”を生成した場合には、網点化部１３において、これら網点基準データの数値データの各々と、画像ラスターデータの数値データの各々とを比較して、網点基準データの数値のほうが大きくなる画素を“１”、小さくなる画素を“０”とすることで作成される２値の網点画像データ（図６（Ｂ）に対応する）は、画像ラスターデータの格子の各々における数値が何れも“１００”であることから、その画素の配列がシフトされることはなく、結果として、シフト処理を行わなかった場合（図６（Ａ）に対応する）と同様になる。
【００４７】
尚、画像データ編集端末３やＲＩＰ４から送信された画像データが線画像である場合には、何れかの色版に対応する網点基準データにシフト処理を行ってしまうと、それらの網点基準データに基づき網点化された各色版の網点画像を重ね合わせた画像においては、各色版の線の位置がズレてボヤけた感じとなり、極めて画質が劣化したものになる。一方、最終印刷物においては、版ズレにより各色版の線の位置がズレることになるが、このような場合には、通常、印刷機において、これを修正するための調整が行われることから、カラープルーフの運用を鑑みた場合には、画像データが中間調である場合、即ち、画像データ解析加工部１０において作成される画像ラスターデータの各画素に割り振られる数値データ（上述した格子の各々に割り振られる数値）が、“０”や“１００”以外になる場合に限ってシフト処理が反映されて、版ズレが再現されることが好ましい。従って、上述したように、画像データ編集端末３やＲＩＰ４から送信された画像データが線画像である場合には、網点データ加工部１２が“シフトされた網点基準データ”を生成した場合であっても、網点化部１３によって生成される各色版別の２値の網点画像データにおいては、シフト処理が反映されることにならないということは、極めて好適となる。
【００４８】
（シフト処理が反映された画像描画の態様）
ここで、上述したように、網点データ加工部１２によって網点基準データのシフト処理が行われて、網点化部１３によって、そのシフトされた網点基準データと、それらの網点基準データを除く各色版に対応して予め設定された網点基準データとに基づいて画像ラスターデータを網点化する処理が行われ色版別の網点画像データが生成されて、さらに、ＤＣＰ作成装置２において、その色版別の網点画像データに基づく画像が感光材料上に描画された際の態様について説明する。
【００４９】
例えば、上述したように、ＤＣＰ作成装置２において２４００ｄｐｉ（ｄｏｔ  ｐｅｒ  ｉｎｃｈ）、１７５ｌｐｉ（ｌｉｎｅｓ  ｐｅｒ  ｉｎｃｈ）での画像出力を行う場合、網点の中心間の距離は、２５．４／１７５＝０．１４５ｍｍ＝１４５μｍとなるのが理想である。しかしながら、網点の中心間距離は、出力解像度に対応する画素のピッチに依存するため、実際には、指定した線数になるべく近い値を持つ網点基準データが設定される。ここで、網点角度が４５度の場合には、網点の中心は、互いに縦横１０画素ずつ離れたところにある場合が一番理想に近くなる。２４００ｄｐｉのとき、１画素の線数は、１０．５８μｍとなり、このときの網点の中心間の距離は、１０．５８×１０μｍ×１．４１４＝１４９．６μｍとなり、実際には、約１７０線の網点群が形成されることとなる。
【００５０】
図７に、Ｍａｇｅｎｔａ版（網パーセント；５０％、網点角度；４５度の場合）の網点基準データ（同図中央に示す、太点線四角形にて囲まれる領域）が連なる態様、より詳細には、Ｍａｇｅｎｔａ版に対応する網点基準データに基づいて、画像ラスターデータが網点化されてＭａｇｅｎｔａ版の網点画像データが生成されて、さらに、ＤＣＰ作成装置２において、Ｍａｇｅｎｔａ版の網点画像データに基づく網点画像が描画された態様を示す。図７に示すように、網パーセントが５０％の場合、網点基準データは、その網点（同図に示す、太実線菱形で囲んだ領域）の中心部から５０％の領域が塗りつぶされるように、当該網点基準データを構成する画素の各々に所定の数値データが割り振られたものとなっている。さらに、網点角度が４５度の場合の網点基準データは、その網点の並び（互いに隣接する網点基準データの網点の並び）が４５度の傾斜角度を形成するように、当該網点基準データを構成する画素の各々に所定の数値が割り振られたものとなっている。
【００５１】
図８に、図７に示したＭａｇｅｎｔａ版（網パーセント；５０％、網点角度；４５度の場合）において、１つの網点基準データに対応する部分を抽出した態様を示す。図８に示すように、通常、網点基準データは、演算を容易とするために、繰り返しの発生するところを区切りとして構成される。そして、網点データ加工部１２においては、上述したように、この網点基準データを構成する画素の各々に配置された数値データ（図においては、“Ｆ３”、“ＥＦ”、“Ｆ１”、“Ｆ９”等と表現されている）の配列をシフトさせる処理を行うことで、ＤＣＰ作成装置２においては、最終印刷物において生じる版ズレを忠実に再現した画像が描画される。
【００５２】
ここで、図７に示したＭａｇｅｎｔａ版（網パーセント；５０％、網点角度；４５度の場合）に、シフト処理を行っていない特色版であるＢｌｕｅ版（網パーセント；５０％、網点角度；４５度の場合）を重ね合わせた場合には、ＤＣＰ作成装置２において、これらＭａｇｅｎｔａ版とＢｌｕｅ版の網点画像データに基づく網点画像がＤＣＰ作成装置２において感光材料上に描画された際の態様は、図７に示した場合と同様になる。
【００５３】
一方、図７に示したＭａｇｅｎｔａ版（網パーセント；５０％、網点角度；４５度の場合）に、シフト処理を行ったＢｌｕｅ版（網パーセント；５０％、網点角度；４５度の場合）を重ねる（但し、刷り順は、当該Ｂｌｕｅ版のほうが先とする）べく、シフト量指定部１６により、Ｂｌｕｅ版のシフト量を以下のように指定したとする。
水平方向：＋３０μｍ（＋は、図における右方向）
垂直方向：−１０μｍ（−は、図における下方向）
【００５４】
このとき、２４００ｄｐｉの１画素の大きさは、２５．４／（２４００×１０００）＝１０．６μｍとなるので、網点データ加工部１２においては、シフト量を、水平方向：＋３画素（＋は、図における右方向）、垂直方向：−１画素（−は、図における下方向）に換算する。
【００５５】
図９に、これらＭａｇｅｎｔａ版とＢｌｕｅ版に対応する網点基準データに基づく網点画像がＤＣＰ作成装置２において感光材料上に描画された態様を示す。尚、図９においては、右上斜線で示す領域がＭａｇｅｎｔａ版の網点内の塗りつぶされた部分を示し、左上斜線で示す領域がＢｌｕｅ（特色）版の網点内の塗りつぶされた位置を示す。図９に示すように、Ｍａｇｅｎｔａ版に対して、シフト処理を行ったＢｌｕｅ版は、水平方向に＋３画素（＋は、図における右方向）分だけ、垂直方向に−１画素（−は、図における下方向）分だけシフトされた位置に重ねられている。このようにしてシフト処理が行われることで、最終印刷物における版ズレが忠実に再現されることになる。
【００５６】
また、図１０に、画像データ編集端末３やＲＩＰ４から送信された画像データが線画像（ピッチ；０．１ｍｍ、幅；２０μｍ）であって、Ｍａｇｅｎｔａ版（網パーセント；１００％、網点角度；４５度の場合）の網点基準データに、シフト処理を行ったＢｌｕｅ版（網パーセント；１００％、網点角度；４５度の場合）を重ねた場合に、それらＭａｇｅｎｔａ版とＢｌｕｅ版に対応する網点画像がＤＣＰ作成装置２において感光材料上に描画された際の態様を示す。図１０に示すように、このような場合、網点データ加工部１２がＭａｇｅｎｔａ版に対応する網点基準データを、図における右方向に３画素分、図における下方向に１画素分だけシフトさせることで、“シフトされた網点基準データ”を生成した場合であっても、網点化部１３において作成される網点画像データは、画像ラスターデータの画素に割り振られた網パーセントが何れも“１００”であることから、シフト処理が行われることはなく、ＤＣＰ作成装置２において、これらＭａｇｅｎｔａ版とＢｌｕｅ版に対応する網点画像データに基づく網点画像が感光材料上に描画された際の態様は、シフト処理が行われなかった場合と同様になる。
【００５７】
〔網点基準データ表示ステップ〕、〔網点画像表示ステップ〕
図３に戻って、操作者は、ここで、網点データ加工部１２によってシフトされた網点基準データと、それらの網点基準データを除く予め各色版に対応して設定された網点基準データを重ね合わせた画像、若しくは、それらの網点基準データに基づき網点化された各色版の網点画像を重ね合わせた画像を表示部１７に表示させる場合には（ステップ７、Ｙｅｓ）、キーボード等の操作により、モニタ表示項目１Ｂｂを選択する。すると、表示部１７は、対応する画像、即ち、シフト処理の行われた画像を表示する（ステップ８）。尚、この際、表示部１７においては、シフト処理が行われていないオリジナル画像と、シフト処理が行われた画像を順次、或いは、同時に表示させても良い。
【００５８】
これにより、操作者は、実際にカラープルーフを作成しなくとも、シフト処理が行われた網点基準データや、版ズレが再現された網点画像の確認を行うことができるので、不用なカラープルーフを作成することも無く、容易に印刷物の色調を事前に確認することができる。
【００５９】
図３に戻って、操作者は、さらに、表示部１７に表示される画像を確認した上で、ここで、シフト量を変化させる場合には（ステップ９、Ｎｏ）、再度、各色版のシフト量の指定を行う（ステップ３）。以降、ステップ３からステップ９まで繰り返す。
【００６０】
これにより、例えば、各色版のシフト量を段階的に変化させながら、印刷物の色調を事前に確認することができるので、印刷物の仕上がりをより効率良く確認することができる。
【００６１】
〔送信ステップ〕
そして、指定項目１Ｂａにおいて指定したシフト量に基づきシフト処理が施された色版別の網点画像データをＤＣＰ作成装置２に送信する場合には（ステップ９、Ｙｅｓ）、操作者は、シフト量指定画面１Ｂにおいて、キーボード等の操作により、ＯＫ項目１Ｂｃを選択する。すると、送信部１４は、シフト処理が施された色版別の網点画像データを、出力指示信号と共にＤＣＰ作成装置２に送信する処理を行う（ステップ１０）。尚、送信部１４は、通信ケーブル等の一般的な通信手段により構成される。
【００６２】
尚、以上に説明したプリンタコントローラメイン画面１Ａ及びシフト量指定画面１Ｂの表示形態は、これに限定されるものではなく、他の形態にすることも可能である。
【００６３】
［ＤＣＰ作成装置］
次に、当該画像出力システムを構成するＤＣＰ作成装置２の詳細構成及び詳細動作について、図１１及び図１２を参照しつつ説明する。
【００６４】
＜詳細構成＞
図１１に示すように、ＤＣＰ作成装置２は、主に、感光材料上に画像を露光するための露光部３３と、露光された感光材料を現像処理するための処理部３４とから構成されている。
【００６５】
露光部３３は、外部に開閉可能な上面パネル３５及び前面パネル３６を有し、当該露光部３３のメンテナンスは、これらのパネルを開いて行う。また、ロールセット部３７は、ロール状に巻回された感光材料を収容したカートリッジを装填する部分であり、装置本体の上部に設けられている。尚、カートリッジの装填は、給紙カバー３９を開閉して行う。因みに、本実施形態のロールセット部３７は、単数であるが、複数設けられても良い。また、ロール状に巻回された感光材料を直接セットできるものであっても良い。尚、カートリッジに収容される感光材料は、通常、感光面を外側にして巻回される。従って、ロール状に巻回された感光材料を直接セットする場合であっても、感光材料の感光面を外側にして巻回されるものを用いることが好ましい。
【００６６】
装置本体の外面、具体的には、ロールセット部３７の手前側には、タッチパネル４２と液晶パネル４１から成る操作部が設けられている。タッチパネル４２は、液晶パネル４１の上面に重ねて設けられている。液晶パネル４１には、後述する制御部１００の制御により、操作者に入力を求める入力指示情報や装置の状態を示す装置状態情報等を表示する。一方、タッチパネル４２は、操作者が各種情報を入力する入力手段であり、操作者は、液晶パネル４１に表示される入力指示画面に応じて各種情報の入力を行う。タッチパネル４２からの入力に応じた各種情報は、後述するＲＡＭ１０２に記憶される。尚、操作部の構成は、これに限られず、例えば、ＬＥＤ等から成る表示手段と入力キー等から成る入力手段により構成しても良い。
【００６７】
処理部３４は、外面に開閉可能な上面パネル４３及び補給パネル４４を有し、通常のメンテナンスは上面パネル４３を開いて行い、処理液の補充等は、補給パネル４４を開いて行う。また、排紙部４５は、現像処理が終了した感光材料をストックする部分である。
【００６８】
図１２に、ＤＣＰ作成装置２の制御構成を示す。図１２に示すように、ＤＣＰ作成装置２は、全体の制御を行う制御部１００を有し、この制御部１００は、ＣＰＵ１０１、ＲＡＭ１０２及びＲＯＭ１０３とから構成されている。当該制御部１００は、Ｉ／Ｏポート１０４、１０５を介して、感光材料の先端位置や図示省略のドラムの回転位置などを検出するロータリエンコーダ等の検出系を構成するセンサ類１０６、及び、感光材料の搬送やドラムの回転駆動などを行うモーター等の駆動系を構成するアクチュエータ群１０７に接続され、センサ類１０６からの情報に基づいてアクチュエータ群１０７を制御するように構成されている。
【００６９】
また、操作部については、液晶パネル４１をドライバＤ２０により制御し、これにＤＣＰ作成装置の２の運転状態等を表示する。また、タッチパネル４２からの入力に応じた情報は、Ａ／Ｄ変換部１２０によりデジタル情報としてＣＰＵ１０１に送信される構成となっている。
【００７０】
さらに、ＤＣＰ作成装置２は、制御装置１から送信される色版別の網点画像データと出力指示信号を受信する画像データＩ／Ｆ部２０１を備えている。画像データＩ／Ｆ部２０１は、この色版別の網点画像データ、より詳細には、各色（Ｃ、Ｍ、Ｙ、Ｋ、特色１、特色２等）のラスターイメージフォーマットの網点画像データを、例えば各色１０本の走査線毎（各色１０のチャンネル毎）の露光用フォーマットに変換して、データバッファ２０４に蓄積する。この画像データのフォーマット変換は、同時に各色１０本の走査線を走査する場合、ラスターイメージフォーマットのビットマップデータの画像データを並べ替え、１０ライン並列に読み出すことにより行う。そして、データバッファ２０４に１枚分のデジタル網点画像データを蓄積した後、以下のようにして、全色同時露光、即ち、マルチ露光を行う。
【００７１】
この際、画素クロック生成部２０３は、ＰＬＬ（ＰＨＡＳＥ  ＬＯＣＫ  LＯＯＰ)回路２０２からの出力に同期させて、データバッファ２０４からデジタル網点画像データを読み出すタイミングを規定する画素クロックを生成する。そして、この画素クロックにてデータバッファ２０４からデジタル網点画像データを読み出して、これをＬＵＴ部２０５に送信する。
【００７２】
ＬＵＴ部２０５は、印刷の基準色となるＣ、Ｍ、Ｙ、Ｋ、特色１、特色２等と、これらを感光材料上に露光する光源の光強度、例えばＢ（ブルー）、Ｒ（レッド）、Ｇ（グリーン）光の強度組成との対応を規定するＬＵＴ（ルックアップテーブル）データを記憶している。そして、送られた露光用フォーマットのＣ、Ｍ、Ｙ、Ｋのデジタル網点画像データをＢ、Ｒ、Ｇの露光強度データに変換する。その際、画素毎に、印刷物のＣ、Ｍ、Ｙ、Ｋの網点画像データをＢ、Ｒ、Ｇのレーザ強度の組み合わせに変換する。
【００７３】
また、制御部１００のＣＰＵ１０１は、センサ類１０６からの感光材料の先端位置の情報、及び、図示省略のドラム位置を検出するロータリエンコーダからのパルス信号のカウントに基づいて、光学ユニットから射出されるレーザ光の照射位置に感光材料の画像記録領域が存在するか否かを判断する。そして、制御部１００は、この判断に基づき、レーザ光の照射位置に感光材料の画像記録領域が存在する期間は、ＬＵＴ部２０５に、Ｂ、Ｒ、Ｇの各々に対応するレーザ光源３２０、３２１、３２２を駆動するドライバＤ３２０、３２１、３２２に入力される露光強度データが、常にレーザダイオードを発光させるに足りるようにＬＵＴデータの設定制御を行っている。これにより、レーザ光照射位置に感光材料の画像記録領域がある期間は、レーザ光源３２０、３２１、３２２のレーザダイオードは、常に発光し、良好な応答性になる。
【００７４】
このような制御の基、ドラムに保持される感光材料に対する網点画像の描画が行われる。その結果、出力される感光材料上、即ち、カラープルーフ上には、所定のシフト処理が行われた画像、即ち、最終印刷物における版ズレを忠実に再現した画像が描画される。
【００７５】
尚、この際、シフト処理の行われていないオリジナル画像と、シフト処理が行われた画像の双方を１枚の用紙上に並べて出力、若しくは、連続して出力するように構成することも可能である。また、シフト量を段階的に変化させながら、１枚の用紙上に並べて出力、若しくは、連続して出力するように構成することも可能である。これにより、印刷物の仕上がりを事前確認する効率を向上させることができる。
【００７６】
［画像出力システムの画像出力処理］
次に、以上に説明した制御装置１及びＤＣＰ作成装置２により構成される当該画像出力システムの画像出力処理に関する概略の流れについて、図１３に示すシーケンス図を参照しつつ説明する。
【００７７】
制御装置オペレータは、まず、制御装置１において事前準備、具体的には、コントロールアプリケーションの起動操作を行う（Ｓ１）。これにより、コントロールアプリケーションが起動し、制御装置１の表示部１７には、プリンタコントローラメイン画面１Ａが表示され（Ｓ１´）、制御装置１は、画像データの送信待ちの状態となる（Ｓ２´）。一方、上流端末である画像データ編集端末３やＲＩＰ４において、上流端末オペレータは、出力する画像データの編集操作を行い（Ｓ１´´）、その画像データを制御装置１へ送信する（Ｓ２´´）。制御装置１では、画像データ解析加工部１０が、これを受けて、その画像データを解析して（Ｓ３´）、必要に応じて、これをラスター化する処理を行う（Ｓ４´）。これにより、色版別の画像ラスターデータが生成される。制御装置オペレータは、ここで、シフト量指定部１２の操作により、表示部１７にシフト量指定画面１Ｂを表示させて、このシフト量指定画面１Ｂにおいて、色版毎に網点基準データのシフト量の指定を行う（Ｓ２）。制御装置１では、網点データ加工部１２が、指定されたシフト量に従って各色版に対応する網点基準データのシフト処理を行う。さらに、網点化部１３が、そのシフト処理が行われた網点基準データと、それらの網点基準データを除く各色版に対応する網点基準データに基づいて、画像ラスターデータを網点化することで、シフト処理の行われた色版別の網点画像データを生成する（Ｓ５´）。制御装置オペレータは、ここで、シフト処理の行われた画像を表示させる場合には、表示部１７に表示されるシフト量指定画面１Ｂにおいて、モニタ表示項目１Ｂｂを選択する（Ｓ３）。制御装置１では、表示部１７がシフト処理の行われた画像を表示する（Ｓ６´）。制御装置オペレータは、ここで、色版別の網点画像データをＤＣＰ作成装置２に対して出力する場合には、表示部１７に表示されるシフト量指定画面１Ｂにおいて、ＯＫ項目１Ｂｃを選択する（Ｓ４）。制御装置１では、送信部１４が、これを受けてシフト処理が行われた色版別の網点画像データを出力指示信号と共にＤＣＰ作成装置２に出力する（Ｓ７´）。
【００７８】
これを受けたＤＣＰ作成装置２では、シフト処理が行われた色版別の網点画像データに基づく画像、即ち、最終印刷物における版ズレを忠実に再現した画像を感光材料上に描画する。
【００７９】
［プログラム及びこれを記憶する記録媒体］
尚、上述した画像出力システムを構成する制御装置１において行われる処理、具体的には、図３に示した〔画像データ解析加工ステップ〕〜〔送信ステップ〕における処理を実行させるためのプログラムは、制御装置１に内蔵、若しくは、接続される記憶媒体に記録されており、同じく制御装置１に備えられた演算手段によって、これが読み出されて実行されるものとする。
【００８０】
尚、上述した記録媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記録媒体＜磁気ディスク＞（ハードディスク／フロッピー（登録商標）ディスク／ＺＩＰ等）等を挙げることができる。
【図面の簡単な説明】
【００８１】
【図１】本発明に係る画像出力システムの一実施形態におけるシステム構成を表す構成図である。
【図２】図１に示す画像出力システムの制御装置の詳細構成を表すブロック図である。
【図３】図２に示す制御装置における一連の処理の流れを説明するフローチャートである。
【図４】図２に示す制御装置の表示部において表示されるシフト量の指定を行う際の指定画面の流れについて説明するための説明図である。
【図５（Ａ）】図２に示す制御装置の網点データ加工部において行われる網点基準データのシフト処理の詳細について説明するための説明図である。
【図５（Ｂ）】図２に示す制御装置の網点データ加工部において行われる網点基準データのシフト処理の詳細について説明するための説明図である。
【図６（Ａ）】図２に示す制御装置の網点データ加工部において行われる網点基準データのシフト処理の詳細について説明するための説明図である。
【図６（Ｂ）】図２に示す制御装置の網点データ加工部において行われる網点基準データのシフト処理の詳細について説明するための説明図である。
【図７】ＤＣＰ作成装置２において、網点基準データに基づく網点画像が感光材料上に描画された態様を示す説明図である。
【図８】図７に示す態様において、１つの網点基準データに対応する領域が抽出された態様を示す説明図である。
【図９】ＤＣＰ作成装置２において、シフト処理された網点基準データに基づく網点画像が感光材料上に描画された態様を示す説明図である。
【図１０】ＤＣＰ作成装置２において、シフト処理された網点基準データに基づく網点画像が感光材料上に描画された態様を示す説明図である。
【図１１】図１に示す画像出力システムのＤＣＰ作成装置の外観を表す構成図である。
【図１２】図１１に示すＤＣＰ作成装置の制御構成を表すブロック図である。
【図１３】図１に示す画像出力システムの制御装置における一連の処理の流れを説明するシーケンス図である。
【図１４】各色版における網点の並び方向（＝網点角度）が排他的に選択されることについて説明するための説明図である。
【図１５（Ａ）】版ズレが生じない場合と生じた場合とで、網点の重なり具合が異なることからその色調が異なって見えることについて説明するための説明図である。
【図１５（Ｂ）】版ズレが生じない場合と生じた場合とで、網点の重なり具合が異なることからその色調が異なって見えることについて説明するための説明図である。
【符号の説明】
【００８２】
１  制御装置
１０  画像データ解析加工部
１１  網点データ解析部
１２  網点データ加工部
１３  網点化部
１４  送信部
１５  色版指定部
１６  シフト量指定部
１７  表示部
２  ＤＣＰ作成装置
３３  露光部
３４  処理部
３５  上面パネル
３６  前面パネル
３７  ロールセット部
３９  給紙カバー
４１  液晶パネル
４２  タッチパネル
４３  上面パネル
４４  補給パネル
４５  排紙部
１００  制御部
１０１  ＣＰＵ
１０２  ＲＡＭ
１０３  ＲＯＭ
１０４、１０５  Ｉ／Ｏポート
１０６  センサ類
１０７  アクチュエータ群
１２０  Ａ／Ｄ変換部
２０１  画像データＩ／Ｆ部
２０２  ＰＬＬ
２０３  画素クロック生成部
２０４  データバッファ
２０５  ＬＵＴ部
２０６〜２０８  Ｄ／Ａ変換部
２１０  画像データ処理部
３２０〜３２２  レーザ光源（ＬＤ）
Ｄ２０、Ｄ３２０〜Ｄ３２２  ドライバ
３  画像データ編集端末
４  ＲＩＰ
Ｎ  ネットワーク
１Ａ  プリンタコントロール画面
１Ａａ  ＲＩＰ処理待ちジョブ表示部
１Ａｂ  ＲＩＰ処理済みジョブ表示部
１Ａｃ  出力処理済みジョブ表示部
１Ｂ  シフト量指定画面
１Ｂａ  指定項目
１Ｂｂ  モニタ表示項目
１Ｂｃ  ＯＫ項目
１Ｂｄ  キャンセル項目
【図１】
2005059457.tif 000003
【図２】
2005059457.tif 000004
【図３】
2005059457.tif 000005
【図４】
2005059457.tif 000006
【図５（Ａ）】
2005059457.tif 000007
【図５（Ｂ）】
2005059457.tif 000008
【図６（Ａ）】
2005059457.tif 000009
【図６（Ｂ）】
2005059457.tif 000010
【図７】
2005059457.tif 000011
【図８】
2005059457.tif 000012
【図９】
2005059457.tif 000013
【図１０】
2005059457.tif 000014
【図１１】
2005059457.tif 000015
【図１２】
2005059457.tif 000016
【図１３】
2005059457.tif 000017
【図１４】
2005059457.tif 000018
【図１５（Ａ）】
2005059457.tif 000019
【図１５（Ｂ）】
2005059457.tif 000020